(57)【特許請求の範囲】
【請求項１】
無端状のゴム弾性体と、該ゴム弾性体内に、ゴム弾性体の延在方向に所定の間隔をおいて埋設配置されて、ゴム弾性体の幅方向に延在する複数本の芯金と、ゴム弾性体の外周面に設けられて路面に接地する複数のラグとを具え、各芯金に、ゴム弾性体の幅方向中央域でゴム弾性体の内周面側へ突出する一以上の突起部と、該突起部を隔てて位置する一対の翼部とを一体に設けてなるゴムクローラであって、
相互に隣接する二本ずつの芯金の各翼部に、芯金相互の離隔変位を拘束する一対の連結リングを、ゴム弾性体の幅方向の内外に隣接させて嵌め合わせて配置するとともに、各翼部に、連結リングに掛合する抜け止め部を設け、ゴム弾性体の幅方向内側および外側のそれぞれに位置して、ゴム弾性体の延在方向に隣接するそれぞれの連結リングの相互に、隣接する芯金の延在方向の相対変位を、相互の当接下で拘束する横ずれ防止突部を設けてなるゴムクローラ。
【請求項２】
前記抜け止め部を、芯金の各翼端に一体に形成し、連結リングの穴形状を長円形状ないしは楕円形状とするとともに、前記連結リングの穴の、延在方向の中間部分の寸法を、芯金の抜け止め部の輪郭寸法よりも大きくし、該抜け止め部に、連結リングの少なくとも一端側の穴縁に掛合する掛合部を設けてなる請求項１に記載のゴムクローラ。
【発明の詳細な説明】
【技術分野】
【０００１】
この発明は、主として建設車両や土木作業車両等に用いられるゴムクローラに関するものであり、更に詳しくは、引っ張り補強部材として新しい構造を採用したゴムクローラを提案するものである。
【背景技術】
【０００２】
従来より、ゴムクローラには、それに作用する張力に対抗するため、クローラの延在方向にスチールコードを埋設して引っ張り補強部材としていた。
しかしながら、上記のゴムクローラを、たとえば、２０トンショベルカー等のような大型の土木作業用車両に用いた場合は、スチールコードが破断、伸張等したときの、車両に対するゴムクローラの脱着に際し、機体が大型で大重量であるため、とくに、スプロケット及びアイドラーへのゴムクローラの巻きつけに要する労力及びコストが嵩むという問題があった。
【０００３】
そこで、スチールコードの破断等に起因する、このような問題に対処するべく、特許文献１には、クローラの延在方向に隣接して、クローラの幅方向に延びる、相互に隣り合う芯金の左右の翼部が、夫々二つの連結部材を長手方向に嵌め込むことで順次連結されてなるゴムクローラが開示されている。
また、特許文献２には、棒体を直方体ブロックで連結した芯金をゴムクローラ内に埋設したことを特徴とするゴムクローラであって、とくに、直方体ブロックのゴムクローラ幅方向の端部側に連結リングを配置し、棒体を直方体ブロックと連結リングで連結したものが開示されており、このゴムクローラにおいて、「連結用棒体の端部へ溝を設けており、この溝のクローラ幅方向内側へワッシャをはめ込み、溝へＥ型止め輪を専用工具にて取り付け、連結用棒体が外れないように固定する。」ことが記載されている。
【先行技術文献】
【特許文献】
【０００４】
【特許文献１】国際公開第２００４／０４５９３８号
【特許文献２】特開２００２−３７１５４号公報
【発明の概要】
【発明が解決しようとする課題】
【０００５】
しかしながら、特許文献１に開示されたゴムクローラは、隣り合う芯金の左右の翼部が、夫々二つの連結部材を長手方向に嵌め込むことで順次連結されたものであるため、クローラの幅方向の外力により、芯金が連結部材から抜け出るおそれがある。
【０００６】
また、特許文献２に開示されたゴムクローラは、芯金が、クローラ幅方向に延びる複数の棒体と、これらの棒体の一対の相互を、クローラの延在方向に千鳥状に連結するとともに、転輪の転動を許容することで車両重量の支持に寄与する突起部を形成する複数の直方体ブロックとから構成されていることに加えて、連結リングや、ワッシャ等の固定部材がそれぞれ別個の部材で構成されているため、構造が複雑で、製造能率が悪く、コストの増加が不可避であった。
【０００７】
この発明は、連結部材が芯金から抜けることを抑制しつつ、簡単な構造で製造能率を向上させたゴムクローラを提供することを目的とするものである。
【課題を解決するための手段】
【０００８】
請求項１に係るゴムクローラは、無端状のゴム弾性体と、該ゴム弾性体内に、ゴム弾性体の延在方向に所定の間隔をおいて埋設配置されて、ゴム弾性体の幅方向に延在する複数本の芯金と、ゴム弾性体の外周面に設けられて路面に接地する複数のラグとを具え、各芯金に、ゴム弾性体の幅方向中央域でゴム弾性体の内周面側へ突出する一以上の突起部と、該突起部を隔てて位置する一対の翼部とを一体に設けてなるものであって、
相互に隣接する二本ずつの芯金の各翼部に、芯金相互の離隔変位を拘束する一対の連結リングを、ゴム弾性体の幅方向の内外に隣接させて嵌め合わせて配置するとともに、各翼部に、連結リングに掛合する抜け止め部を設け、ゴム弾性体の幅方向内側および外側のそれぞれに位置して、ゴム弾性体の延在方向に隣接するそれぞれの連結リングの相互に、隣接する芯金の延在方向の相対変位を、相互の当接下で拘束する横ずれ防止突部を設けてなるものである。
【０００９】
また、請求項２に係るゴムクローラは、請求項１に記載のゴムクローラにおいて、前記抜け止め部を、芯金の各翼端に一体に形成し、連結リングの穴形状を長円形状ないしは楕円形状とするとともに、前記連結リングの穴の、延在方向の中間部分の寸法を、芯金の抜け止め部の輪郭寸法よりも大きくし、該抜け止め部に、連結リングの少なくとも一端側の穴縁に掛合する掛合部を設けてなるものである 。
【発明の効果】
【００１０】
この発明のゴムクローラでは、各芯金に、ゴム弾性体の内周面側へ突出する一以上の突起部と、該突起部を隔てて位置する一対の翼部とを一体に設けているため、組み立てが容易で、製造能率が向上し、コストを抑制することができる。
また、連結リングが相互の横ずれ防止突部を有しているため、クローラ幅方向からの、外力が入力されても、芯金の各翼部の抜け止め部の作用と相俟って、芯金の横ずれを防止することができるとともに、連結リングの、芯金からの抜け出しを有効に防止することができる 。
【００１１】
ところで、芯金の各翼部に設けた抜け止め部に対し、連結リングの穴形状を長方形状ないしは楕円形状とするとともに、連結リングの穴の中間部分の寸法を、前記抜け止め部の輪郭寸法よりも大きくした場合は、翼部に、連結リングを掛合しやすく、作業効率が向上する他、部品点数を最小限とすることができる。
しかも、芯金の抜け止め部に設けた掛合部が、とくに、スプロケット等に巻き掛けられたゴムクローラへの引張力の作用に起因する、クローラ長手方向に所要の間隔をおいて配置した芯金の相互の離隔変位の下で、連結リングの少なくとも一端側の穴縁に強固に掛合されることになり、その結果として、連結リングの脱落が防止され、ゴムクローラの耐久性を向上させることができる 。
【図面の簡単な説明】
【００１２】
【図１】この発明の実施形態を一部について示す断面斜視図である。
【図２】図１に示すゴムクローラの幅方向断面図である。
【図３】整列配置した芯金の、内周面側からの部分展開平面図である。
【図４】連結リングの横ずれ防止突部を示す拡大斜視図である。
【図５】連結リングの作用を示す拡大平面図である。
【図６】芯金翼部の抜け止め部を例示する説明図である。
【図７】抜け止め部の他の形態を示す斜視図である。
【発明を実施するための形態】
【００１３】
この発明の実施形態を、図を参照して以下に詳細に説明する。
図１のゴムクローラ１は、無端状のゴム弾性体２と、このゴム弾性体２内に、ゴム弾性体の延在方向に所定の間隔をおいて埋設配置されて、ゴム弾性体２の幅方向に延在する複数本の芯金３と、無端状ゴム弾性体２の外周面に設けられて、路面に作用するラグ４とを具えてなる。
なお、本実施形態では、図中矢印CD方向を「クローラの周方向」とし、矢印RD方向を「クローラの幅方向」とする。
なお、クローラの周方向と幅方向とは、相互に直交する方向となる。
また、ゴムクローラ１の走行姿勢での、ゴムクローラ１の内周側の面を「クローラの内周面」とし、ゴムクローラ１の外周側の面を「クローラの外周面」とする。
【００１４】
ゴムクローラ１には、駆動スプロケットとの係合部材である上述したような、高剛性の複数の芯金３が、ゴムクローラ１の幅方向への延在姿勢で、周方向に間隔をおいて所定のピッチで埋設されている。
【００１５】
なお、符号１０２は転輪を示す。
転輪１０２は、荷重を支持しつつ、ゴムクローラ１の内周面側への芯金３の突起部３ａをガイドとして、ゴムクローラ１の安定駆動を司るための荷重支持輪であり、この転輪１０２は、駆動輪となるスプロケット１００と従動輪となる、図示しないアイドラーとの間に必要に応じて複数配設される。
【００１６】
この発明は、耐張部材としてのスチールコードを配設することに加えて、それぞれの芯金３の翼部５を、連結部材にて相互連結して、連結部材としての各連結リング６を引っ張り補強部材としたものである。
この連結リング６は、芯金３の左右の翼部に二個ずつ嵌合配置されてクローラの周方向に隣接する芯金３のそれぞれを千鳥状にて連結するものであって、従来のスチールコードと比較して引張強度が高く、かつ、ねじれに対しても大きな抗力を持つことになる。
【００１７】
図２に示す芯金３は、延在方向の中央部分に、ゴム弾性体２の内周面側へ突出する一対の突起部３ａを有し、該突起部３ａは、それの左右の各側部に設けた翼部５とともにゴム弾性体２中に埋設されている。
【００１８】
図３に展開平面図で示すように、相互に隣接する二本ずつの芯金３のそれぞれの翼部５に、芯金相互の離隔変位を拘束する一対の連結リング６を、芯金３の延在方向の内外に隣接させて、千鳥状に嵌め合わせて配置する。
ゴム弾性体２の延在方向に隣接するそれぞれの連結リング６の相互間で、対向するリング６側へ突出して、隣接する芯金３の延在方向の相対変位を、相互の当接下で拘束する横ずれ防止突起７を設ける。
【００１９】
図示の発明のゴムクローラ１では、各芯金３の延在方向の中央部分に、ゴム弾性体２の内周面側へ突出する一対の突起部３ａと、該突起部３ａを隔てて位置する一対の翼部５とを一体的に形成しているため、組み立てが容易で、製造能率が向上し、コストを抑制することができる。
【００２０】
また、ゴムクローラ１の周方向に隣接して位置する連結リング６が相互の横ずれ防止突起部７を有しているため、芯金３に、クローラ１の幅方向の外力が入力されても、芯金３の各翼部５の翼端に設けた抜け止め部８の、連結リング６への掛合作用と相俟って、芯金３の横ずれを防止することができるとともに、連結リング６の、芯金３からの抜け出しを有効に防止することができる 。
【００２１】
各連結リング６の貫通穴９の形状は、図４に示すような長円形状とすることができる他、楕円形状等とすることもできる。このような形状にすることによって、連結リング６の構造を簡単にして、容易に製造することができ、連結リング６の製造能率が向上する。
【００２２】
また、連結リング６の穴の中間部分の寸法を、前記抜け止め部８の輪郭寸法よりも大きくした場合は、芯金３の姿勢のいかんにかかわらず、翼部５に、連結リング６を嵌合しやすくなって、芯金３の作業効率が向上する他、部品点数を最小限とすることができる。
【００２３】
しかも、芯金３の抜け止め部８のリング掛合部が、とくに、スプロケット１００等に巻き掛けられたゴムクローラ１への引張力の作用に起因する、芯金相互の離隔変位の下で、耐張部材としての連結リング６の少なくとも一端側の穴縁に強固に掛合されることになるので、連結リング６の脱落が確実に防止されることになり、併せて、連結リング６に固有の耐張強度により、ゴムクローラ１の強度が大きく向上されることになる。
【００２４】
すなわち、芯金３の抜け止め部８が連結リング６に掛合し、連結リング６の相互が横ずれ防止突部７によって当接することになるため、クローラの幅方向から、図５に示すような、外力Ｆが入力されても、芯金３の各翼部５の抜け止め部８の作用と相俟って、芯金３の横ずれを防止することができ、連結リング６の、芯金３からの抜け出しを有効に防止することができる。
【００２５】
ここで、芯金３の各翼部５の抜け止め部８は、図６（ａ）、（ｂ）、（ｃ）に示すように、芯金３の各翼部５を連結リング６の貫通穴９に挿入し、連結リング６の少なくとも一端側の穴縁に、その抜け止め部８を掛合させることにより、連結リング６の脱落を確実に防止し、ゴムクローラの耐張強度を大きく向上させることができる。
【００２６】
ところで、芯金３の翼部５の抜け止め部８は、図７（ａ）に示すように、芯金３の、丸棒状をなす翼部５と同芯をなして径方向外側へ突出する大径の同芯円形構造とすることができる他、図７（ｂ）に示すように芯金３の翼部５の中心に対して偏心させて形成されて、一方の周縁より径方向外側へ突出する、大径の偏心円形構造とすることもでき、これらのいずれによっても、連結リング６の、芯金３からの抜け出しを、抜け止め部８の作用下で有効に防止することができる。
なお、芯金３の翼部５の周縁より一部分でも径方向外側へ突出する抜け止め部構造であれば、芯金３の抜け出しを十分に防止することができる。
【００２７】
以上、この発明の好ましい実施形態について詳述したが、この発明は、上述したような特定の実施形態に限定されるものではなく、特許請求の範囲に記載された発明の要旨の範囲内において、種々の変形・変更が可能である。
【産業上の利用可能性】
【００２８】
以上の説明から明らかなように、この発明によれば、ゴムクローラの適用用途のいかんにかかわらず、組み立てが容易で、製造能率が向上し、コストを抑制することができる、耐張強度にすぐれたゴムクローラを提供することができる。
また、連結リング６が相互の横ずれ防止突部７を有しているため、クローラの幅方向からの、外力が入力されても、芯金３の各翼部５の抜け止め部８の作用と相俟って、芯金３の横ずれを防止することができるとともに、連結リング６の、芯金３からの抜け出しを有効に防止することができる 。
【符号の説明】
【００２９】
１        ゴムクローラ
２        ゴム弾性体
３        芯金
３ａ      突起部
４        ラグ
５        翼部
６        連結リング
７        横ずれ防止突部
８        抜け止め部
９        貫通穴
１００    スプロケット
１０１    歯部
１０２    転輪
ＣＤ      ゴムクローラの周方向
ＲＤ      ゴムクローラの幅方向
【図１】
0005683991.tif 000002
【図２】
0005683991.tif 000003
【図３】
0005683991.tif 000004
【図４】
0005683991.tif 000005
【図５】
0005683991.tif 000006
【図６】
0005683991.tif 000007
【図７】
0005683991.tif 000008